(57)【要約】【課題】他の回路部分を用いることなく、容易に種々のチップの特性に適した形状にすることのできるアンテナパターンを提供することである。【解決手段】基板上に形成されるアンテナパターンであって、相互に対向して配置される第１パターン部分１１及び第２パターン部分１２と、第１パターン部分１１の一端から延びて第２パターン部分１２の対応する一端に至る第３パターン部分１３とによってＵ字形状に形成されたＵ字形状アンテナパターン１０を有するアンテナパターン。【選択図】図１
2015207967.tif 000002
【特許請求の範囲】
【請求項１】
基板上に形成されるアンテナパターンであって、
相互に対向して配置される第１パターン部分及び第２パターン部分と、前記第１パターン部分の一端から延びて前記第２パターン部分の対応する一端に至る第３パターン部分とによってＵ字形状に形成されたＵ字形状アンテナパターンを有するアンテナパターン。
【請求項２】
更に、前記Ｕ字状アンテナパターンの前記第３パターン部分に近接し、対向して配置されるダイポールアンテナパターンを含む請求項１記載のアンテナパターン。
【請求項３】
前記Ｕ字状アンテナパターンの前記第１パターン部分及び第２パターン部分は、直線状に形成され、かつ、平行に配置された請求項１または２に記載のアンテナパターン。
【請求項４】
ＩＣチップがマウントされたストラップと、
基板上に形成された請求項１乃至３のいずれかに記載のアンテナパターンとを有し、
前記ストラップが、前記アンテナパターンにおける前記Ｕ字形状アンテナパターンの第１パターン部分と前記第２パターン部分との間にかけわたされて接続されたＲＦＩＤインレイ。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）インレイ（インレット）等に適用することができ、ＰＥＴフィルム等の基板上にＩＣチップが接続されるように形成されたアンテナパターン及びそのアンテナパターンを用いたＲＦＩＤインレイに関する。
【背景技術】
【０００２】
従来、特許文献１に記載されるようなアンテナ回路が知られている。このアンテナ回路（アンテナパターン）では、渦巻き状アンテナパターンの最内周パターン部分に複数の突起部が形成され、その複数の突起部のそれぞれに対向した部分（対向部）が形成されており、各対向部が前記渦巻き状アンテナパターンの最外周パターン部分にジャンパ線によって接続されている。そして、複数の突起部のいずれかと対応する対向部との間にＩＣチップが接続されることにより、ＩＣチップとアンテナ回路とからなるトランスポンダが形成される。
【０００３】
そして、このようなアンテナ回路では、各突起部と対応する対向部との組に応じて、形成されるアンテナパターンの実質的な長さが異なる。このため、ＩＣチップの特性に適したアンテナ回路の特性となるような突起部と対向部との組み合わせを決めて、それらの突起部と対向部との間にＩＣチップを接続することにより、適正な特性のトランスポンダを得ることができる。
【先行技術文献】
【特許文献】
【０００４】
特開２００５−３３５８７号公報
【発明の概要】
【発明が解決しようとする課題】
【０００５】
しかしながら、前述した従来のアンテナ回路（アンテナパターン）では、最終的な回路（トランスポンダとしての回路）を形成するために、ジャンパ線等の本来のアンテナパターン以外の回路部分が必要となってしまう。
【０００６】
本発明は、このような事情に鑑みてなされたもので、他の回路部分を用いることなく、容易に種々のＩＣチップのインピーダンスにアンテナのインピーダンスをマッチングできるアンテナパターンを提供するものである。
【０００７】
また、本発明は、上記アンテナパターンを用いたＲＦＩＤインレイを提供するものである。
【課題を解決するための手段】
【０００８】
本発明に係るアンテナパターンは、基板上に形成されるアンテナパターンであって、相互に対向して配置される第１パターン部分及び第２パターン部分と、前記第１パターン部分の一端から延びて前記第２パターン部分の対応する一端に至る第３パターン部分とによってＵ字形状に形成されたＵ字形状アンテナパターンを有する構成となる。
【０００９】
このような構成により、Ｕ字形状アンテナパターンの第１パターン部分と第２パターン部分との間に、例えば、ＩＣチップがマウントされたストラップ等の回路部分をかけわたして接続することによって、前記ＩＣチップが接続されるループアンテナパターンを形成することができる。その結果、ループアンテナパターンを有するアンテナパターンにＩＣチップが接続された回路を形成することができる。そして、前記第１パターン部分及び第２パターン部分における前記ストラップ等の回路部分の接続位置を変えることにより、前記ＩＣチップが接続されるループアンテナパターンの形状、ループ長、ループ内の面積を変えることができる。
【００１０】
本発明に係るアンテナパターンにおいて、更に、前記Ｕ字状アンテナパターンの前記第３パターン部分に近接して対向配置されるダイポールアンテナパターンを含む構成とすることができる。
【００１１】
このような構成により、ＩＣチップがマウントされた回路部分（例えば、ストラップ）が接続され得るＵ字状アンテナパターンと、該Ｕ字状アンテナパターンの第３パターン部分に近接して対向配置されるダイポールアンテナパターンとが対となったアンテナパターンを構成することができる。
【００１２】
本発明に係るアンテナパターンにおいて、前記Ｕ字状アンテナパターンの前記第１パターン部分及び第２パターン部分は、直線状に形成され、かつ、平行に配置された構成とすることができる。
【００１３】
このような構成により、ＩＣチップがマウントされた単一形状、単一サイズの回路部分（例えば、ストラップ）を、Ｕ字形状アンテナパターンにおける第１パターン部分及び第２パターン部分のどの位置にも接続することができ、前記回路部分を介したＩＣチップの接続位置の調整を容易に行うことができる。
【００１４】
本発明に係るＲＦＩＤインレイは、ＩＣチップがマウントされたストラップと、基板上に形成された前記アンテナパターンとを有し、前記ストラップが、前記アンテナパターンにおける前記Ｕ字形状アンテナパターンの第１パターン部分と前記第２パターン部分との間にかけわたされて接続された構成となる。
【００１５】
このような構成により、Ｕ字形状アンテナパターンの第１パターン部分と第２パターン部分との間にＩＣチップがマウントされたストラップをかけわたして接続すると、第１パターン部分及び第２パターン部分それぞれの前記ストラップから第３パターン部分側の部分と、前記第３パターン部分と、前記ストラップとによって、前記ＩＣチップが接続されるループアンテナパターンが形成される。その結果、本発明に係るＲＦＩＤインレイは、ループアンテナパターンを備えたアンテナパターンにＩＣチップが接続された回路を備えた構造となる。
【発明の効果】
【００１６】
本発明に係るアンテナパターンによれば、Ｕ字形状アンテナパターンにおいて、ストラップ等の回路部分を介したＩＣチップの前記第１パターン部分及び第２パターン部分のそれぞれの接続位置を変えることにより、前記ＩＣチップが接続されるループアンテナパターンの形状やループ長、ループ内の面積を変えることができるので、他の回路部分を用いることなく、容易に種々のＩＣチップの特性にマッチしたインピーダンスとすることができる。
【００１７】
また、本発明に係るＲＦＩＤインレイによれば、他の回路部分を用いることなく、容易に種々のＩＣチップの特性とマッチングできる前記アンテナパターンを用いているので、搭載されるＩＣチップとアンテナのインピーダンスのマッチングを実現させることができる。
【図面の簡単な説明】
【００１８】
【図１】本発明の実施の形態に係るアンテナパターンを示す図である。
【図２】図１に示すアンテナパターンにＩＣチップを接続するためのストラップを示す図である。
【図３】図１に示すアンテナパターンにストラップを接続した状態の例を示す図である。
【発明を実施するための形態】
【００１９】
本発明の実施の形態について図面を用いて説明する。
【００２０】
本発明の実施の一形態に係るアンテナパターンは、図１に示すように構成され、実質的にＵ字形状となるＵ字形状アンテナパターン１０と直線状に延びるダイポールアンテナ５０とからなる。このアンテナパターンは、例えば、ＲＦＩＤインレイ（インレット）に適用され、ＰＥＴフィルム等の基板上にＩＣチップが接続されるように銅やアルミニウム等による極薄の金属箔をエッチング加工した金属膜や導電性インクにて形成される。
【００２１】
Ｕ字形状アンテナパターン１０は、相互に対向して配置される第１パターン部分１１及び第２パターン部分１２と、第１パターン部分１１の一端から延びて第２パターン部分１２の対応する一端に至る第３パターン部分１３とを有している。第１パターン部分１１の他端と第２パターン部分１２の他端との間は閉じておらず、これら第１パターン部分１１、第２パターン部分１２及び第３パターン部分１３によって、実質的にＵ字形状が形成されている。第１パターン部分１１及び第２パターン部分１２は、直線状に形成され、所定の間隔Ｌuをもって平行に配置されている。
【００２２】
ダイポールアンテナ５０は、その略中央部分において、Ｕ字形状アンテナパターン１０の第３パターン部分１３に近接して対向配置され、その第３パターン部分１３に金属箔等の接続部１４によって電気的に接続されている。なお、Ｕ字形状アンテナパターン１０とダイポールアンテナ５０とは、接続部１４により電気的に接続されていても、所定の隙間をもって電気的な接続がない構造であってもよい。
【００２３】
上述したような構造（図１参照）のアンテナパターンには、図２に示すようなストラップ２０（電極対）を用いてＩＣチップ３０が接続される。ストラップ２０は、フィルム２５の片面に金属箔をエッチングして形成された第１電極部分２１と第２電極部分２２とが、それらの先端部２１ｂ、２２ｂが所定の隙間をもって対向するように、直線状に配置された構造の小片である。それら先端部２１ｂ、２２ｂにチップ３０がボンディング剤（例えば、導電性接着剤）によってマウントされている。そして、ストラップ２０の長さＬｓ、即ち、第１電極部分２１の基端部２１ａと第２電極部分２２の基端部２２ａとの間の距離Ｌｓは、前述したアンテナパターンにおけるＵ字形状アンテナパターン１０の第１パターン部分１１と第２パターン部分１２との間隔Ｌｕ（図１参照）に対応している。
【００２４】
このようなストラップ２０は、図３に示すように、第１電極部分２１の基端部２１ａが第１パターン部分１１に、第２電極部分２２の基端部２２ａが第２パターン部分１２に、それぞれ、例えば、導電性接着剤や超音波接合、カシメ等の手法により接合されることにより、Ｕ字形状アンテナパターン１０に接合される。このようにストラップ２０がＵ字形状アンテナパターン１０に接合されると、Ｕ字形状アンテナパターン１０において、ストラップ２０と、第３パターン部分１３と、第１パターン部分１１及び第２パターン部分１２それぞれのストラップ２０と第３パターン部分１３との間の部分とによって、ＩＣチップ３０が接続されるループアンテナパターンが形成され、そのようなループアンテナパターンとＩＣチップ３０とによる回路が形成される。
【００２５】
Ｕ字形状アンテナパターン１０において、例えば、図３に示すように、ストラップ２０が、Ｕ字形状アンテナパターン１０の先端部側の位置Ｐ１に接合された場合、ループ形状Ｌｐ１のループアンテナパターンが形成され、ストラップ２０が前記位置Ｐ１より第３パターン部分１３寄りの位置Ｐ２に接合された場合（破線で表されるストラップ２０参照）、前記ループ形状Ｌｐ１より小さいループ形状Ｌｐ２のループアンテナパターンが形成される。ストラップ２０のＵ字形状アンテナパターン１０での接合位置（例えば、Ｐ１、Ｐ２）は、第１パターン部分１１及び第２パターン部分１２の長さ範囲ＥＬ内で自由に決めることができるが、その接合位置、即ち、Ｕ字形状アンテナパターン１０において形成されるループアンテナパターンの形状、ループ長、ループ内面積（例えば、Ｌｐ１、Ｌｐ２参照）は、接続されるＩＣチップ３０の特性に応じて決められる。即ち、接続されるＩＣチップ３０の特性に適したインピーダンスやインダクタンス特性となるような形状のループアンテナが形成されるようにストラップ２０のＵ字形状アンテナパターン１０の接合位置が決められる。
【００２６】
上述したようなアンテナパターン（図１参照）によれば、Ｕ字形状アンテナパターン１０において、ストラップ２０（第１電極部分２１及び第２電極部分２２）を介したＩＣチップ３０の第１パターン部分１１及び第２パターン部分１２のそれぞれでの接続位置を変えることにより、ＩＣチップ３０が接続されるループアンテナパターンを変えることができるので、他の回路や配線を用いることなく、容易に種々のＩＣチップの特性に適した形状のアンテナパターンを形成することができる。その結果、単一のアンテナパターンで、特性が異なる複数種のＩＣチップとマッチングがとれたＲＦＩＤインレイ（インレット）を容易に作ることができる。
【００２７】
なお、Ｕ字形状アンテナパターン１０は、前述した形状のもの（図１、図３参照）に限定されず、相互に対向して配置される第１パターン部分及び第２パターン部分と、前記第１パターン部分の一端から延びて前記第２パターン部分の対応する一端に至る第３パターン部分とによって前記第１パターン部分の他端と前記第２パターン部分の他端との間が閉じていない実質的にＵ字形状に形成されたものであればよい。第１パターン部分１１と第２パターン部分１２とは、平行でなくてもよい。また、第３パターン部分１３に対する第１及び第２パターン部分１１、１２それぞれのなす角度は９０度でなくてもよい。
【００２８】
また、アンテナパターンは、ダイポールアンテナパターン５０が無くてもよい。この場合、第１パターン部分１１、第２パターン部分１２、第３パターン部分１３及びストラップ２０から構成されるループアンテナ単独で使用することになり、そのループアンテナにおいてストラップ２０の接続位置に応じてインピーダンスマッチングの調整がなされる。
【産業上の利用可能性】
【００２９】
本発明に係るアンテナパターンは、ジャンパ線等の他の回路部分を用いることなく、容易に種々のチップの特性に適した形状にすることができるという効果を有し、ＲＦＩＤインレイ（インレット）等に適用することができ、ＰＥＴフィルム等の基板上にＩＣチップが接続されるように形成されたアンテナパターンとして有用である。
【符号の説明】
【００３０】
１０  Ｕ字形状アンテナパターン
１１  第１パターン部分
１２  第２パターン部分
１３  第３パターン部分
２０  ストラップ
２１  第１電極部分
２１ａ  基端部
２１ｂ  先端部
２２  第２電極部分
２２ａ  基端部
２２ｂ  先端部
２５  フィルム
３０  ＩＣチップ
５０  ダイポールアンテナパターン
【図１】
2015207967.tif 000003
【図２】
2015207967.tif 000004
【図３】
2015207967.tif 000005